(57)【要約】      （修正有）【課題】モップなどの長尺物を部屋の景観を損ねることなく整頓することができる磁石付き面ファスナーベルト及び専用スライドリングを提供する。【解決手段】長尺物の転倒防止に用いる磁石付き面ファスナーベルトであって、３方向に分かれたＹ型の形状をしたベルト１を有していて、２方向のベルトに面ファスナー２が取り付けられているとともに、残る１方向のベルトの先端に磁石３が取り付けられていることを特徴とする磁石付き面ファスナーベルトと、磁石付き面ファスナーベルトを装着して使用する専用スライドリングであって、両端にフランジを有していて、面ファスナーが取り付けられている２方向のベルトをフランジの間に巻き付け、ベルト同士を面ファスナーで固定することにより、磁石付き面ファスナーベルトと専用スライドリングを一体化することができることを特徴とする。【選択図】図１
0003199199.tif 000002
【実用新案登録請求の範囲】
【請求項１】
長尺物の転倒防止に用いる磁石付きマジックテープベルト
【請求項２】
請求項１を装着して使用する専用スライドリング
【考案の詳細な説明】
【技術分野】
【０００１】  この考案は、モップなどの長尺物に磁石付きマジックテープベルトを装着し、磁性体に磁石を吸着させることで長尺物の転倒防止を図るための器具に関するものである。
【背景技術】
【０００２】  従来、モップなどの長尺物は転倒防止のためにフックに引っかける又はスタンドに立てるなどして整頓していた。
【考案の概要】
【考案が解決しようとする課題】
【０００３】  これは、次のような欠点があった。モップなどはすぐ使えるように部屋の手の届き易い場所に整頓することが効果的であるが、フック又はスタンドを用いて整頓する場合フックが壁から出っ張る又はスタンドがかさばるなど部屋の景観を損ねることにつながってしまっていた。【０００４】  本考案はこれらの欠点を解決するためになされたもので、装着することにより長尺物を部屋の景観を損ねることなく整頓するための器具に関するものである。
【課題を解決するための手段】
【０００５】  請求項１に記載の本考案は、３方向に分かれたＹ型の形状をしたベルト（１）の２本にマジックテープ（２）を取り付け、残る１本の先端に磁石（３）を取り付けた構造からなる、長尺物を倒れることなく整頓するための器具に関するものである。【０００６】  請求項２に記載の本考案は、請求項１に記載の器具を装着して使用する専用のスライドリング（６）に関するものである。
【考案の効果】
【０００７】  本考案による器具は、長尺物の棒状部分にベルトを巻き付け、マジックテープで固定して装着するため、装着した器具がずれることはなく、また、棒の太さ、形状によらず装着することが可能である。
また、本器具を専用スライドリングに装着して使用することで、棒状部分をスムーズにスライドする状態で使用することが可能となる。
【図面の簡単な説明】
【０００８】
【図１】磁石付きマジックテープベルトの斜視図である。
【図２】磁石付きマジックテープベルト装着実施時の斜視図である。
【図３】磁石付きマジックテープベルト専用スライドリングの斜視図である。
【図４】磁石付きマジックテープベルト専用スライドリング実施時の斜視図である。
【考案を実施するための形態】
【０００９】  以下、請求項１に記載の本考案を実施するための形態について説明する。
モップなど長尺物の棒状部分（４）にベルト（１）を巻き付けマジックテープ（２）で固定する。こうすることで、長尺物と本器具は一体化され、本器具に取り付けられた磁石（３）を冷蔵庫などの磁性体部材（５）に吸着させることで、長尺物を倒れることなく整頓することができる。
【００１０】  日用品の長尺物として、モップの他にほうき、かさ、充電式掃除機などが想定され、それぞれ用途に適した長さのベルト（１）及び磁気特性を有する磁石（３）を選定する。また、磁石（３）には、小さなサイズでも強力な磁場を有し壊れにくい性質のネオジウム磁石を用いる。
モップやほうきなどの比較的軽量な長尺物を対象とする場合、磁石（３）の吸着力は特別に強くする必要はなく、磁石（３）には小さなサイズの磁石を採用する。
充電式掃除機など比較的重量な長尺物を対象とする場合、磁石（３）の吸着力を強くする必要があり、磁石（３）には大きなサイズの磁石を採用する。
【００１１】  長尺物の他に小物などの日用品に本考案による器具を装着しホワイトボードなどに吸着させる用途も想定される。この場合、磁石（３）の吸着力は小さい方が扱いやすく小さなサイズの磁石を採用し、ベルト（１）にはよく伸び縮みするゴム材質のものを採用する。
【００１２】  本考案による器具を突っ張り棒などの固定物に装着し、固定物と一体となった本器具の磁石（３）に磁性体を吸着させて使用することも想定される。
【００１３】  以下、請求項２に記載の本考案を実施するための形態について説明する。
専用スライドリング（６）にベルト（１）を巻き付けマジックテープ（２）で固定する。こうすることで磁石付きマジックテープベルトと専用スライドリングは一体化され、これを棒状部分に通して使用することでスムーズにスライド可能な状状態で［００１２］項に記載の使用方法と同等の使い方をすることが可能となる。
【符号の説明】
【００１４】１  ベルト
２  マジックテープ
３  磁石
４  長尺物の棒状部分
５  磁性体部材
６  専用スライドリング
【図１】
0003199199.tif 000003
【図２】
0003199199.tif 000004
【図３】
0003199199.tif 000005
【図４】
0003199199.tif 000006
【手続補正書】
【提出日】平成27年5月27日(2015.5.27)
【手続補正１】
【補正対象書類名】実用新案登録請求の範囲
【補正対象項目名】全文
【補正方法】変更
【補正の内容】
【実用新案登録請求の範囲】
【請求項１】
長尺物の転倒防止に用いる磁石付き面ファスナーベルトであって、
３方向に分かれたＹ型の形状をしたベルトを有していて、
２方向のベルトに面ファスナーが取り付けられているとともに、
残る１方向のベルトの先端に磁石が取り付けられていることを特徴とする
磁石付き面ファスナーベルト。
【請求項２】
請求項１に記載の磁石付き面ファスナーベルトを装着して使用する専用スライドリングであって、
両端にフランジを有していて、
面ファスナーが取り付けられている２方向のベルトをフランジの間に巻き付け、
ベルト同士を面ファスナーで固定することにより、磁石付き面ファスナーベルトと専用スライドリングを一体化することができることを特徴とする
専用スライドリング。
【手続補正２】
【補正対象書類名】明細書
【補正対象項目名】全文
【補正方法】変更
【補正の内容】
【考案の詳細な説明】
【技術分野】
【０００１】  この考案は、モップなどの長尺物に磁石付き面ファスナーベルトを装着し、磁性体に磁石を吸着させることで長尺物の転倒防止を図るための器具に関するものである。
【背景技術】
【０００２】  従来、モップなどの長尺物は転倒防止のためにフックに引っかける又はスタンドに立てるなどして整頓していた。
【考案の概要】
【考案が解決しようとする課題】
【０００３】  これは、次のような欠点があった。モップなどはすぐ使えるように部屋の手の届き易い場所に整頓することが効果的であるが、フック又はスタンドを用いて整頓する場合フックが壁から出っ張る又はスタンドがかさばるなど部屋の景観を損ねることにつながってしまっていた。【０００４】  本考案はこれらの欠点を解決するためになされたもので、装着することにより長尺物を部屋の景観を損ねることなく整頓するための器具に関するものである。
【課題を解決するための手段】
【０００５】  請求項１に記載の本考案は、３方向に分かれたＹ型の形状をしたベルト（１）の２方向のベルトに面ファスナー（２）を取り付け、残る１方向の先端に磁石（３）を取り付けた構造からなる、長尺物を倒れることなく整頓するための器具に関するものである。【０００６】  請求項２に記載の本考案は、請求項１に記載の器具を装着して使用する専用のスライドリング（６）に関するものである。
【考案の効果】
【０００７】  本考案による器具は、長尺物の棒状部分（４）にベルトを巻き付け、面ファスナーベルトで固定して装着するため、装着した器具がずれることはなく、また、棒の太さ、形状によらず装着することが可能である。
また、本器具を専用スライドリングに装着して使用することで、棒状部分をスムーズにスライドする状態で使用することが可能となる。
【図面の簡単な説明】
【０００８】
【図１】磁石付き面ファスナーベルトの斜視図である。
【図２】磁石付き面ファスナーベルト装着実施時の斜視図である。
【図３】磁石付き面ファスナーベルト専用スライドリングの斜視図である。
【図４】磁石付き面ファスナーベルト専用スライドリング実施時の斜視図である。
【考案を実施するための形態】
【０００９】  以下、請求項１に記載の本考案を実施するための形態について説明する。
モップなど長尺物の棒状部分（４）にベルト（１）を巻き付け面ファスナーベルト（２）で固定する。
こうすることで、長尺物と本器具は一体化され、本器具に取り付けられた磁石（３）を冷蔵庫などの磁性体部材（５）に吸着させることで、長尺物を倒れることなく整頓することができる。
【００１０】  日用品の長尺物として、モップの他にほうき、かさ、充電式掃除機などが想定され、それぞれ用途に適した長さのベルト（１）及び磁気特性を有する磁石（３）を選定する。また、磁石（３）には、小さなサイズでも強力な磁場を有し壊れにくい性質のネオジウム磁石を用いる。
モップやほうきなどの比較的軽量な長尺物を対象とする場合、磁石（３）の吸着力は特別に強くする必要はなく、磁石（３）には小さなサイズの磁石を採用する。
充電式掃除機など比較的重量な長尺物を対象とする場合、磁石（３）の吸着力を強くする必要があり、磁石（３）には大きなサイズの磁石を採用する。
【００１１】  長尺物の他に小物などの日用品に本考案による器具を装着しホワイトボードなどに吸着させる用途も想定される。この場合、磁石（３）の吸着力は小さい方が扱いやすく小さなサイズの磁石を採用し、ベルト（１）にはよく伸び縮みするゴム材質のものを採用する。
【００１２】  本考案による器具を突っ張り棒などの固定物に装着し、固定物と一体となった本器具の磁石（３）に磁性体を吸着させて使用することも想定される。
【００１３】  以下、請求項２に記載の本考案を実施するための形態について説明する。
専用スライドリング（６）にベルト（１）を巻き付け面ファスナーベルト（２）で固定する。こうすることで磁石付き面ファスナーベルトと専用スライドリングは一体化され、これを棒状部分に通して使用することでスムーズにスライド可能な状態で［００１２］項に記載の使用方法と同等の使い方をすることが可能となる。
【符号の説明】
【００１４】  １  ベルト
２  面ファスナーベルト
３  磁石
４  長尺物の棒状部分
５  磁性体部材
６  専用スライドリング